(57)【要約】【課題】デフロスト運転後の沸き上げ運転の起動時に、沸き上げポンプの回転速度にオーバーシュートやハンチングが発生するのを抑制すること。【解決手段】給湯装置は、ヒートポンプユニット（５０）と、貯湯タンク（１０）と、沸き上げポンプ（Ｐ１）と、沸き上げ回路（ＢＣ）と、上記沸き上げポンプ（Ｐ１）の回転速度を制御するフィードバックポンプ制御部（１００ｃ）と、ポンプ起動制御部（１００ｄ）とを含む。上記ポンプ起動制御部（１００ｄ）は、デフロスト運転後の沸き上げ運転の起動時において、上記デフロスト運転前の沸き上げ運転中の所定期間の沸き上げポンプ（Ｐ１）の平均回転速度を、上記沸き上げポンプ（Ｐ１）のオープンループの指令速度とする。【選択図】図１
2018091518.tif 000002
【特許請求の範囲】
【請求項１】
圧縮機（５１）と水熱交換器（５２）と膨脹機構（５３）と空気熱交換器（５４）とを含むヒートポンプユニット（５０）と、
貯湯タンク（１０）と、
沸き上げポンプ（Ｐ１）と、
上記貯湯タンク（１０）と沸き上げポンプ（Ｐ１）と水熱交換器（５２）の二次側通路（５２ｂ）とを環状に接続してなる沸き上げ回路（ＢＣ）と、
上記沸き上げ回路（ＢＣ）に設けられた出湯温度センサ（Ｔ２２）の出力に基づいて、上記貯湯タンク（１０）への出湯温度が目標出湯温度になるように沸き上げポンプ（Ｐ１）の回転速度を制御するフィードバックポンプ制御部（１００ｃ）と、
デフロスト運転後の沸き上げ運転の起動時において、上記デフロスト運転前の沸き上げ運転中の所定期間の沸き上げポンプ（Ｐ１）の平均回転速度を、上記沸き上げポンプ（Ｐ１）のオープンループの指令速度とするポンプ起動制御部（１００ｄ）と
を備えることを特徴とする給湯装置。
【請求項２】
請求項１に記載の給湯装置において、
上記所定期間とは、上記デフロスト運転前の沸き上げ運転中の上記沸き上げポンプ（Ｐ１）の回転速度を上記フィードバックポンプ制御部（１００ｃ）でフィードバック制御している期間であることを特徴とする給湯装置。
【請求項３】
請求項１または２に記載の給湯装置において、
上記ヒートポンプユニット（５０）は正サイクルデフロスト運転を行うことを特徴とする給湯装置。
【発明の詳細な説明】
【技術分野】
【０００１】
この発明は、給湯装置に関する。
【背景技術】
【０００２】
従来、給湯装置としては、デフロスト運転の終了後の沸き上げ運転の再開時に、ヒートポンプユニットの圧縮機の回転速度を予め定められた固定の最低回転速度に制御して、ヒートポンプユニットからの温水の往き温度が過度に高くなるのを抑制するようにしたものがある（特許文献１：特開２０１６−１５６６０２号公報）。
【先行技術文献】
【特許文献】
【０００３】
【特許文献１】特開２０１６−１５６６０２号公報
【発明の概要】
【発明が解決しようとする課題】
【０００４】
しかしながら、上記従来の給湯装置では、デフロスト運転の終了後の沸き上げ運転の再開時に、ヒートポンプユニットの圧縮機の回転速度を外気温度や沸き上げ回路の現地配管の長さなどの外的条件の変化に関係なく固定の最低回転速度に制御しているため、ヒートポンプユニットから貯湯タンクへの温水の出湯温度が目標出湯温度になるようにフィードバック制御する沸き上げポンプの回転速度にハンチングやオーバーシュートが生じるという問題がある。
【０００５】
特に、正サイクルデフロスト運転では、デフロスト運転中は、ヒートポンプユニットの冷媒と水との熱交換を行う水熱交換器の二次側通路に温水を流さずに、高温の冷媒を水熱交換器の一次側を素通りさせて空気熱交換器に供給しているため、水熱交換器の二次側通路の停止している温水の温度が高くなっている。そのため、デフロスト運転の終了後の沸き上げ運転の起動時に、沸き上げポンプの回転速度のオーバーシュートやハンチングが著しいものになる。
【０００６】
そこで、この発明の課題は、デフロスト運転後の沸き上げ運転の起動時に、沸き上げポンプの回転速度にオーバーシュートやハンチングが発生するのを抑制することができる給湯装置を提供することにある。
【課題を解決するための手段】
【０００７】
上記課題を解決するため、この発明の給湯装置は、
圧縮機と水熱交換器と膨脹機構と空気熱交換器とを含むヒートポンプユニットと、
貯湯タンクと、
沸き上げポンプと、
上記貯湯タンクと沸き上げポンプと水熱交換器の二次側通路とを環状に接続してなる沸き上げ回路と、
上記沸き上げ回路に設けられた出湯温度センサの出力に基づいて、上記貯湯タンクへの出湯温度が目標出湯温度になるように沸き上げポンプの回転速度を制御するフィードバックポンプ制御部と、
デフロスト運転後の沸き上げ運転の起動時において、上記デフロスト運転前の沸き上げ運転中の所定期間の沸き上げポンプの平均回転速度を、上記沸き上げポンプのオープンループの指令速度とするポンプ起動制御部と
を備えることを特徴としている。
【０００８】
上記構成の給湯装置によれば、上記ポンプ起動制御部は、デフロスト運転後の沸き上げ運転の起動時において、上記デフロスト運転前の沸き上げ運転中の所定期間の沸き上げポンプの平均回転速度を、オープンループの指令速度として、上記沸き上げポンプの回転速度を制御する。
【０００９】
このように、デフロスト運転後の沸き上げ運転の起動時において、そのデフロスト運転の直前の沸き上げ運転中の所定期間の沸き上げポンプの平均回転速度をオープンループの指令速度として用いて、そのオープンループの指令速度がデフロスト運転の直前の沸き上げ運転中の沸き上げポンプの回転速度の履歴を反映していて外気温度や沸き上げ回路の配管長などによる外的な条件等に適合していることになるから、沸き上げポンプの回転速度の制御にオーバーシュートやハンチングが発生するのを抑制することができる。
【００１０】
なお、この明細書で、デフロスト運転前の沸き上げ運転中とは、上記デフロスト運転とその前のデフロスト運転との間の沸き上げ運転をしている間のことを言う。また、沸き上げ運転中の所定期間とは、例えば、上記沸き上げ運転中の沸き上げポンプのフィードバック制御をしている期間であってもよく、あるいは、上記沸き上げ運転中の全ての期間であってもよい。
【００１１】
１実施形態では、
上記所定期間とは、上記デフロスト運転前の沸き上げ運転中の上記沸き上げポンプの回転速度を上記フィードバックポンプ制御部でフィードバック制御している期間である。
【００１２】
上記実施形態によれば、上記デフロスト運転前の沸き上げ運転中において、沸き上げポンプの回転速度をフィードバック制御部でフィードバック制御している期間を所定期間として、この所定期間の沸き上げポンプの平均回転速度を、デフロスト運転後の沸き上げ運転の起動時の沸き上げポンプのオープンループの指令速度としている。したがって、このデフロスト運転後の沸き上げ運転の起動時のオープンループの指令速度は、沸き上げポンプの回転速度をフィードバック制御部でフィードバック制御している期間の沸き上げポンプの平均回転速度であるから、デフロスト運転後の沸き上げ運転の起動時において外気温度や沸き上げ回路の配管長などによる外的な条件等により適合していて、沸き上げポンプの回転速度の制御において、オーバーシュートやハンチングをより効果的に抑制することができる。
【００１３】
１実施形態では、
上記ヒートポンプユニットは正サイクルデフロスト運転を行う。
【００１４】
正サイクルデフロスト運転では、ヒートポンプユニットの冷媒と水との熱交換を行う水熱交換器の二次側通路に温水を流さずに、高温の冷媒を水熱交換器の一次側通路を素通りさせて空気熱交換器に供給して空気熱交換器に付着した霜や氷を溶かす。そのため、水熱交換器の二次側通路の停止している温水の温度が高くなっている。このように、正サイクルデフロスト運転の終了時には、水熱交換器の二次側通路の温水の温度が高くなっているから、デフロスト運転の終了後の沸き上げ運転の起動時に、沸き上げポンプの回転速度に生じるオーバーシュートやハンチングが著しいものになる傾向がある。
【００１５】
しかし、この実施形態では、デフロスト運転後の沸き上げ運転の起動時において、そのデフロスト運転の直前の沸き上げ運転中の所定期間の沸き上げポンプの平均回転速度をオープンループの指令速度としているので、著しいオーバーシュートやハンチングの発生を防止できる。
【発明の効果】
【００１６】
この発明によれば、デフロスト運転後の沸き上げ運転の起動時に、沸き上げポンプの回転速度にオーバーシュートやハンチングが発生するのを抑制することができる。
【図面の簡単な説明】
【００１７】
【図１】この発明の１実施形態の給湯装置の回路図である。
【図２】上記給湯装置の沸き上げ回路を説明する図である。
【図３】上記給湯装置の時間の対する圧縮機の運転周波数と沸き上げポンプの回転速度との関係を示すグラフである。
【発明を実施するための形態】
【００１８】
以下、この発明を図示の実施形態により詳細に説明する。
【００１９】
まず、この発明の実施形態の給湯装置のうちで、この発明に強く関係する箇所について図面を参照しながら詳細に説明し、その後、この実施形態の給湯装置のこの発明との関係が少ない箇所について簡単に説明する。
【００２０】
図１に示すように、この実施形態の給湯装置は、貯湯タンク１０および制御装置１００を有する貯湯ユニット１と、上記貯湯ユニット１の貯湯タンク１０内の水を沸き上げるためのヒートポンプユニット５０とを備えている。
【００２１】
上記ヒートポンプユニット５０は、圧縮機５１と水熱交換器５２の一次側通路５２ａと膨脹機構５３と空気熱交換器５４とを環状に接続している。上記水熱交換器５２は一次側通路５２ａを流れる冷媒と、二次側通路５２ｂを流れる水または温水との間で熱交換を行う。
【００２２】
上記ヒートポンプユニット５０は、外気温度を検出する外気温度センサＴ２３を有し、上記空気熱交換器５４には着霜を検出するための温度センサＴ５５を設けている。
【００２３】
また、このヒートポンプユニット５０は、冷媒として炭酸ガス(ＣＯ２)を用いており、出湯温度を例えば６５℃〜９０℃の範囲で制御することが可能である。
【００２４】
一方、上記貯湯タンク１０には、下側から上側に向かって略等間隔に６つの温度センサＴ１〜Ｔ６を設けている。上記貯湯タンク１０の下部には、配管Ｌ１の一端を接続し、配管Ｌ１の他端をポンプ入水弁Ｖ１の一方の入力側に接続している。また、ポンプ入水弁Ｖ１の出力側に配管Ｌ２の一端を接続し、配管Ｌ２の他端をバイパス弁Ｖ２の入力側に接続している。この配管Ｌ２に沸き上げポンプＰ１を配設している。また、バイパス弁Ｖ２の一方の出力側に配管Ｌ３を介してヒートポンプユニット５０の水熱交換器５２の二次側通路５２ｂの一端に接続している。
【００２５】
上記ヒートポンプユニット５０の水熱交換器５２の二次側通路５２ｂの他端を配管Ｌ４の一端に接続し、配管Ｌ４の他端を沸き上げ三方弁Ｖ３の入力側に接続している。また、バイパス弁Ｖ２の他方の出力側に配管Ｌ６の一端を接続し、配管Ｌ６の他端を配管Ｌ４の沸き上げ三方弁Ｖ３側に接続している。
【００２６】
また、上記沸き上げ三方弁Ｖ３の一方の出力側に配管Ｌ５の一端を接続し、配管Ｌ５の他端を貯湯タンク１０の上部に接続している。一方、上記沸き上げ三方弁Ｖ３の他方の出力側に配管Ｌ７の一端を接続し、配管Ｌ７の他端を貯湯タンク１０の下部に接続している。
【００２７】
上記配管Ｌ１〜Ｌ５,Ｌ７とポンプ入水弁Ｖ１とバイパス弁Ｖ２と沸き上げ三方弁Ｖ３で、貯湯タンク１０と沸き上げポンプＰ１とヒートポンプユニット５０の水熱交換器５２とを接続して、沸き上げ回路ＢＣを構成している。
【００２８】
また、上記ヒートポンプユニット５０の水熱交換器５２の二次側通路５２ｂへの往き水の入水温度を検出する温度センサＴ２１を配管Ｌ３に設けている。さらに、上記ヒートポンプユニット５０の水熱交換器５２の二次側通路５２ｂからの戻り湯の出湯温度を検出する出湯温度センサＴ２２を配管Ｌ４に設けている。
【００２９】
なお、図１では、ポンプ入水弁Ｖ１は、配管Ｌ２と配管Ｌ１が連通した状態を示し、バイパス弁Ｖ２は、配管Ｌ２と配管Ｌ３が連通した状態を示し、沸き上げ三方弁Ｖ３は、配管Ｌ４と配管Ｌ７が連通した状態を示している。
【００３０】
この配管Ｌ１のポンプ入水弁Ｖ１よりも貯湯タンク１０側に排水用二方弁２７を配設している。通常、排水用二方弁２７は閉じており、メンテナンスなどにより貯湯タンク１０内の水を排水するとき、排水用二方弁２７を開いて、貯湯タンク１０の下部と排水口とを連通させる。
【００３１】
上記沸き上げポンプＰ１により、貯湯タンク１０内の湯水を、配管Ｌ１,ポンプ入水弁Ｖ１,バイパス弁Ｖ２，ヒートポンプユニット５０の水熱交換器５２の二次側通路５２ｂ,配管Ｌ４,沸き上げ三方弁Ｖ３および配管Ｌ５(またはＬ７)を介して循環させる。
【００３２】
なお、この実施形態では、貯湯タンク１０，ポンプ入水弁Ｖ１,バイパス弁Ｖ２，ヒートポンプユニット５０の水熱交換器５２の二次側通路５２ｂ,沸き上げ三方弁Ｖ３を環状に接続して、沸き上げ回路ＢＣを構成しているが、沸き上げ回路は、図示しないが、少なくとも貯湯タンクと沸き上げポンプと水熱交換器の二次側通路とを環状に接続して構成してもよい。
【００３３】
一方、上記制御装置１００は、マイクロコンピュータと入出力回路などからなり、リモートコントローラ２００との間で送受信を行う。
【００３４】
上記制御装置１００は、目標出湯温度算出部１００ａとデフロスト制御部１００ｂとフィードバックポンプ制御部１００ｃとポンプ起動制御部１００ｄとを備え、これらはソフトウェアにより構成されている。
【００３５】
上記目標出湯温度算出部１００ａは、周知のものであるので、以下に簡単に説明する。上記目標出湯温度算出部１００ａは、例えば、日、時間帯、週、季節など毎の貯湯タンク１０から浴槽３，蛇口２６などへの出湯量が多いほど目標出湯温度が高くなるように、目標出湯温度を予め定められた算式やテーブルなどによって算出する。例えば、出湯量が多い場合、目標出湯温度は例えば８５℃と高くなり、出湯量が少ない場合、目標出湯温度は例えば６５℃と低くなる。上記出湯量は、後記する水量センサ６，２５の積算流量と、湯張り混合弁Ｖ４の開度および給湯混合弁Ｖ５の開度に基づいて求めている。
【００３６】
また、上記デフロスト制御部１００ｂは、ヒートポンプユニット５０の空気熱交換器５４の着霜を温度センサＴ５５の検出温度によって検出すると、沸き上げポンプＰ１を停止し、膨脹機構５３の開度を最大に拡げて、圧縮機５１からの高温の冷媒ガスを水熱交換器５２の一次側通路５２ａ，膨張機構５３，空気熱交換器５４の順に流して、デフロスト運転を行う。そして、このデフロスト運転を温度センサ５５が霜や氷が溶けたことを検出するまで、あるいは、予め定められた時間だけ行う。
【００３７】
また、上記フィードバックポンプ制御部１００ｃは、沸き上げ回路ＢＣに設けられた出湯温度センサＴ２２の出力に基づいて、貯湯タンク１０への出湯温度が上記目標出湯温度になるように沸き上げポンプＰ１の回転速度をフィードバック制御する。
【００３８】
また、上記ポンプ起動制御部１００ｄは、デフロスト運転の直前の沸き上げ運転中において、沸き上げポンプＰ１の回転速度をフィードバックポンプ制御部１００ｃでフィードバック制御している期間における沸き上げポンプＰ１の平均回転速度を算出する。そして、この平均回転速度を、上記デフロスト運転後の沸き上げ運転の起動時の一定時間において、沸き上げポンプＰ１にオープンループの指令速度として出力する。
【００３９】
上記構成の給湯装置において、今、図２に示すように、ポンプ入水弁Ｖ１が配管Ｌ１とＬ２を接続し、バイパス弁Ｖ２が配管Ｌ２とＬ３を接続し、三方弁Ｖ３が配管Ｌ４とＬ５を接続するように、ポンプ入水弁Ｖ１，バイパス弁Ｖ２および三方弁Ｖ３を切り換えて、沸き上げ回路ＢＣを形成して、沸き上げ運転を行う。
【００４０】
そうすると、上記ポンプ起動制御部１００ｄは、図３に示すように、デフロスト運転後の沸き上げ運転の起動時において、そのデフロスト運転直前の沸き上げ運転中の沸き上げポンプＰ１の回転速度をフィードバックポンプ制御部１００ｃでフィードバック制御している期間における沸き上げポンプＰ１の回転速度ＰＶの平均回転速度を、オープンループの指令速度ＯＩとして、上記沸き上げポンプＰ１の回転速度ＰＶを制御する。
【００４１】
このように、デフロスト運転後の沸き上げ運転の起動時において、そのデフロスト運転の直前の沸き上げ運転中のフィードバック制御している期間の沸き上げポンプＰ１の平均回転速度をオープンループの指令速度ＯＩとして用いて、そのオープンループの指令速度ＯＩがデフロスト運転の直前の沸き上げ運転中の沸き上げポンプＰ１の回転速度の履歴を反映していて外気温度や沸き上げ回路ＢＣの配管長などによる外的な条件等に適合していることになるから、沸き上げポンプＰ１の回転速度の制御にオーバーシュートやハンチングが発生するのを抑制することができる。
【００４２】
なお、図３において、ＣＨはヒートポンプユニット５０の圧縮機５１の運転周波数である。
【００４３】
上記実施形態では、上記デフロスト運転前の沸き上げ運転中の沸き上げポンプＰ１の回転速度をフィードバックポンプ制御部１００ｃでフィードバック制御している期間を所定期間として、その所定期間の沸き上げポンプＰ１の平均回転速度を、そのデフロスト運転直後の沸き上げ運転の起動時のオープンループの指令速度ＯＩとしているが、上記沸き上げ運転中の全ての期間を所定期間として、その沸き上げ運転中の全ての期間における沸き上げポンプＰ１の平均回転速度を、そのデフロスト運転直後の沸き上げ運転の起動時のオープンループの指令速度としてもよい。
【００４４】
また、上記実施形態では、上記ヒートポンプユニット５０は正サイクルデフロスト運転を行う。
【００４５】
正サイクルデフロスト運転では、ヒートポンプユニット５０の冷媒と水との熱交換を行う水熱交換器５２の二次側通路５２ｂに温水を流さずに、高温の冷媒を水熱交換器５２の一次側通路５２ａを素通りさせて空気熱交換器５４に供給して空気熱交換器５４に付着した霜や氷を溶かす。そのため、水熱交換器５２の二次側通路５２ｂの停止している温水の温度が高くなっている。このように、正サイクルデフロスト運転の終了時には、水熱交換器５２の二次側通路５２ｂの温水の温度が高くなっているから、一般的には、デフロスト運転の終了後の沸き上げ運転の起動時に、沸き上げポンプＰ１の回転速度に、著しいオーバーシュートやハンチングが生じる傾向がある。
【００４６】
しかし、この実施形態では、図３に示すように、デフロスト運転後の沸き上げ運転の起動時において、そのデフロスト運転の直前の沸き上げ運転中のフィードバック制御している期間における沸き上げポンプＰ１の回転速度ＰＶの平均値を沸き上げポンプＰ１のオープンループの指令速度ＯＩとしているので、著しいオーバーシュートやハンチングの発生を防止できる。
【００４７】
なお、この実施形態では、ヒートポンプユニット５０は正サイクルデフロスト運転をしているが、ヒートポンプユニットは逆サイクルデフロスト運転をするものであってもよい。
【００４８】
なお、風呂給湯回路、風呂循環回路、風呂追い焚き回路、給湯回路、温度センサ群は、図１に示されているが、この発明の要旨とは、比較的関係が少ないので、以下において簡単に説明する。
【００４９】
＜風呂給湯回路＞
上記貯湯タンク１０の下部に配管Ｌ１１を介して外部の給水口を接続している。この配管Ｌ１１に、ストレーナ１１と、給水管側から貯湯タンク１０側への流れのみを許容する逆止弁１２と、減圧弁Ｖ１０とを上流側から順に配設している。
【００５０】
また、上記貯湯タンク１０の上部に配管Ｌ２１の一端を接続し、配管Ｌ２１の他端を湯張り混合弁Ｖ４の一方の入力側に接続している。上記配管Ｌ２１の湯張り混合弁Ｖ４近傍に、貯湯タンク１０側から湯張り混合弁Ｖ４側への流れのみを許容する逆止弁２１を配設している。
【００５１】
上記湯張り混合弁Ｖ４の他方の入力側に、分岐配管Ｌ１２の一端を接続し、その分岐配管Ｌ１２の他端を、配管Ｌ１１の減圧弁Ｖ１０の上流側に接続している。この分岐配管Ｌ１２の湯張り混合弁Ｖ４近傍に、給水口側から湯張り混合弁Ｖ４への流れのみを許容する逆止弁２２を配設している。
【００５２】
また、上記湯張り混合弁Ｖ４の出力側に配管Ｌ２２の一端を接続し、配管Ｌ２２の他端を、浴槽３に設けられた接続アダプタ９の給湯口９ａに接続している。この配管Ｌ２２には、湯張り混合弁Ｖ４側から順に、湯張り電磁弁Ｖ６と、湯張り混合弁Ｖ４側から浴槽３への流れのみを許容する逆止弁５と、水量センサ６と、湯張り混合弁Ｖ４側から浴槽３への流れのみを許容する逆止弁７を配設している。
【００５３】
上記配管Ｌ２２の逆止弁５と水量センサ６との間に、排水弁Ｖ７が配設された排水配管Ｌ４２の一端を接続している。また、配管Ｌ２１の貯湯タンク１０近傍に、逃がし弁２８が配設された排水配管４１の一端を接続している。
【００５４】
上記湯張り電磁弁Ｖ６と逆止弁５と水量センサ６と逆止弁７で複合水弁３０を構成している。
【００５５】
上記配管Ｌ２１,湯張り混合弁Ｖ４,配管Ｌ２２,複合水弁３０で、貯湯タンク１０と浴槽３との間の風呂給湯回路を構成している。
【００５６】
＜風呂循環回路＞
上記接続アダプタ９の吸水口９ｂに配管Ｌ２４の一端を接続し、配管Ｌ２４の他端を追い焚き熱交換器２０の２次側の入力に接続している。上記配管Ｌ２４に風呂循環ポンプＰ２を配設している。また、配管Ｌ２２の複合水弁３０よりも下流側に分岐配管Ｌ２３の一端を接続し、分岐配管Ｌ２３の他端を追い焚き熱交換器２０の２次側の出力に接続している。
【００５７】
上記風呂循環ポンプＰ２により、浴槽３内の湯水を、配管Ｌ２４,追い焚き熱交換器２０(２次側),分岐配管Ｌ２３および配管Ｌ２２の一部を介して循環させる。
【００５８】
上記配管Ｌ２４,追い焚き熱交換器２０(２次側),分岐配管Ｌ２３,配管Ｌ２２および風呂循環ポンプＰ２で風呂循環回路を構成している。
【００５９】
上記湯張り電磁弁Ｖ６は、風呂循環回路を介して貯湯タンク１０内の温水を浴槽３内に流す経路を開閉する開閉弁である。
【００６０】
＜風呂追い焚き回路＞
また、上記配管Ｌ２２の複合水弁３０よりも上流側に分岐配管Ｌ２５の一端を接続し、分岐配管Ｌ２５の他端を追い焚き熱交換器２０(１次側)の一端に接続している。上記追い焚き熱交換器２０(１次側)の他端に配管Ｌ２６の一端を接続し、配管Ｌ２６の他端をポンプ入水弁Ｖ１の一方の入力側に接続している。
【００６１】
上記配管Ｌ２１,湯張り混合弁Ｖ４,配管Ｌ２２の一部,分岐配管Ｌ２５,追い焚き熱交換器２０(１次側),配管Ｌ２６,ポンプ入水弁Ｖ１,配管Ｌ２,バイパス弁Ｖ２,配管Ｌ６,配管Ｌ４の一部,沸き上げ三方弁Ｖ３,配管Ｌ７および沸き上げポンプＰ１で風呂追い焚き回路を構成している。
【００６２】
＜給湯回路＞        
また、上記貯湯タンク１０の上部に配管Ｌ３１の一端を接続し、配管Ｌ３１の他端を給湯混合弁Ｖ５の一方の入力側に接続している。上記配管Ｌ３１に、貯湯タンク１０側から給湯混合弁Ｖ５への流れのみを許容する逆止弁２３を配設している。
【００６３】
また、配管Ｌ１２の逆止弁２２近傍の給水口側に、分岐配管Ｌ１３の一端を接続し、分岐配管Ｌ１３の他端を給湯混合弁Ｖ５の他方の入力側に接続している。上記分岐配管Ｌ１３の給湯混合弁Ｖ５近傍に、給水口側から給湯混合弁Ｖ５への流れのみを許容する逆止弁２４を配設している。
【００６４】
上記給湯混合弁Ｖ５の出力側に配管Ｌ３２の一端を接続し、配管Ｌ３２の他端を給湯部２６(この実施形態では蛇口)に接続している。上記配管Ｌ３２に水量センサ２５を設けている。
【００６５】
上記配管Ｌ３１,給湯混合弁Ｖ５,配管Ｌ３２,配管Ｌ１１,配管Ｌ１２の一部,配管Ｌ１３で給湯回路を構成している。
【００６６】
＜温度センサ群＞
また、配管Ｌ１２と配管Ｌ１３の接続点近傍の上流側に、給水温度を検出する温度センサＴ１１を設けている。また、給湯部２６に接続された配管Ｌ３２には、水量センサ２５よりも下流側に給湯温度を検出する温度センサＴ１２を設けている。
【００６７】
また、浴槽３に接続された配管Ｌ２４には、浴槽３側の接続アダプタ９と風呂循環ポンプＰ２との間に、水位センサＬＳと、水流センサの一例としての水流スイッチＳＷと、温度センサＴ１３を接続アダプタ９側から順に設けている。
【００６８】
さらに、浴槽３に接続された配管Ｌ２２に分岐配管Ｌ２３が接続された接続点に、浴槽３に供給される湯温を検出する温度センサＴ１４を設けている。
【００６９】
上記実施形態および変形例で述べた構成要素は、適宜、組み合わせてもよく、また、適宜、選択、置換、あるいは、削除してもよいのは、勿論である。
【符号の説明】
【００７０】
１０  貯湯タンク
５０  ヒートポンプユニット
５１  圧縮機
５２  水熱交換器
５２ｂ  二次側通路
５３  膨脹機構
５４  空気熱交換器
１００ｃ  フィードバックポンプ制御部
１００ｄ  ポンプ起動制御部
Ｐ１  沸き上げポンプ
ＢＣ  沸き上げ回路
Ｔ２２  出湯温度センサ
【図１】
2018091518.tif 000003
【図２】
2018091518.tif 000004
【図３】
2018091518.tif 000005